(57)【特許請求の範囲】
【請求項１】
ホストコンピュータからプリンタ用文書データを入力し，前記プリンタ用文書データをイメージ画像データに展開し，さらにファクシミリ送信データに変換した後，ファクシミリ送信を行う複合機能通信装置において，送信の相手先を識別するための文字列または／およびイメージデータからなる識別データを含む前記プリンタ用文書データを表示する表示部と，前記表示部に表示された前記プリンタ用文書データのうち，前記識別データが存在する領域の位置指定をオペレータから受け付ける領域指定受付手段と，前記領域指定受付手段が指定を受け付けた領域から文字列を検索し，検索により得られた文字列を前記識別データとし，当該識別データと，前記領域指定受付手段が位置指定を受け付けた前記領域の座標値との組合せを一つの情報単位として少なくとも一つの前記情報単位からなる識別情報，および識別情報に対応する送信先を示す送信先情報を登録するための第１の登録手段と，前記第１の登録手段で登録された識別情報および送信先情報を記憶する第１の記憶手段と，前記第１の記憶手段に記憶されている送信先情報毎の送信条件を登録するための第２の登録手段と，前記第２の登録手段で登録された送信先情報毎の送信条件を記憶する第２の記憶手段と，前記第１の記憶手段に記憶されている識別情報中の全ての情報単位が前記プリンタ用文書データ中に存在するか否かを判定する判定手段と，前記判定手段によって全ての情報単位が存在すると判定された識別情報がある場合，該当する識別情報に対応した送信先情報に基づいて，前記第２の記憶手段から送信条件を入力し，該当する送信先情報および送信条件に基づいて，送信先の設定および送信条件の設定を行う設定手段とを備えたことを特徴とする複合機能通信装置。
【請求項２】
ホストコンピュータからプリンタ用文書データを入力し，前記プリンタ用文書データをイメージ画像データに展開し，さらにファクシミリ送信データに変換した後，ファクシミリ送信を行う複合機能通信装置において，送信の相手先を識別するための文字列または／およびイメージデータからなる識別データを含む前記プリンタ用文書データを表示する表示部と，前記表示部に表示された前記プリンタ用文書データのうち，前記識別データが存在する領域の位置指定をオペレータから受け付ける領域指定受付手段と，前記領域指定受付手段が指定を受け付けた領域から文字列を検索し，検索により得られた文字列を前記識別データとし，当該識別データと，前記領域指定受付手段が位置指定を受け付けた前記領域の座標値との組合せを一つの情報単位として少なくとも一つの前記情報単位からなる識別情報，および識別情報に対応する送信先を示す送信先情報を登録するための第１の登録手段と，前記第１の登録手段で登録された識別情報および送信先情報を記憶する第１の記憶手段と，前記第１の記憶手段に記憶されている送信先情報毎の送信条件を登録するための第２の登録手段と，前記第２の登録手段で登録された送信先情報毎の送信条件を記憶する第２の記憶手段と，前記第１の記憶手段に記憶されている識別情報中の全ての情報単位が前記プリンタ用文書データを展開したイメージ画像データ中に存在するか否かを判定する判定手段と，前記判定手段によって全ての情報単位が存在すると判定された識別情報がある場合，該当する識別情報に対応した送信先情報に基づいて，前記第２の記憶手段から送信条件を入力し，該当する送信先情報および送信条件に基づいて，送信先の設定および送信条件の設定を行う設定手段とを備えたことを特徴とする複合機能通信装置。
【請求項３】
前記第１の登録手段は，少なくとも前記プリンタ用文書データを表示する前記表示部および前記表示部上に配置されたタッチパネルとを備えたことを特徴とする請求項１または２記載の複合機能通信装置。
【発明の詳細な説明】
【０００１】
【産業上の利用分野】
本発明は，ホストコンピュータからプリンタ用文書データを入力し，該プリンタ用文書データをイメージ画像データに展開し，さらにファクシミリ送信データに変換した後，ファクシミリ送信を行う複合機能通信装置に関し，より詳細には，ホストコンピュータからのプリンタ用文書データに基づいて，自動的に送信先および送信条件を選択し，設定する複合機能通信装置に関する。
【０００２】
【従来の技術】
従来，プリンタ機能とファクシミリ機能を備えた複合機能通信装置では，プリンタ機能での情報認識能力を活用し，現在扱っているデータが，書式データであるか，定型データであるか，あるいはその他のデータであるかをプリンタコマンドレベルで区別し，通信データ量を低減する工夫が種々提案されている。
【０００３】
通信データ量を低減する方法としては，例えば，▲１▼送り状を送信先（すなわち，受信側）で生成することにより，送信元における送り状の生成を省略する方法や，▲２▼送信した文書の一部を送信先で生成することにより送信元における文書生成を軽減する方法などがある。これらは，いずれも，実際に送信する通信データ量を低減し，通信コストの低減を図ることを主たる目的としている。
【０００４】
上記機能の応用として伝票配信を考えた場合，ホストコンピュータ上のドライバプログラムを利用することにより，伝票配信を簡単に扱うことができる。
【０００５】
【発明が解決しようとする課題】
しかしながら，上記従来の複合機能通信装置によれば，伝票配信を行う場合，ホストコンピュータ上のドライバプログラムにより伝票配信を簡単に扱うことができるものの，伝票が異なれば送信先および送信内容も異なるのが普通であり，伝票毎に送信先および送信条件の指定を行う必要があるため，配信先の件数が多くなると，伝票毎の送信先および送信条件の指定が煩雑となり，利用者の作業負担が大きくなってしまうという問題点があった。
【０００６】
すなわち，送信先，送信条件の指定処理については，ホストコンピュータ側での処理で補える面があるものの，例え，一つの送信文書に対して送信先の指定を１回の操作で行える場合でも，多数の送信先を指定するには，送信先の数に比例して操作回数が増大する。特に，伝票配信を行う場合には作業時間が集中することが多いため，利用者にとっては，さらに作業負担が大きくなってしまう。
【０００７】
また，送信先，送信条件の指定処理についてホストコンピュータ側で管理する方法，例えば，ファクシミリ送信毎に学習する機能を用いて蓄積された情報を活用する方法もあるが，この場合には，ファクシミリ送信を行う度に，双方向通信によって複合機能通信装置側から送信先および送信条件を入力し，送信した文書（または，伝票）毎に情報を蓄積する必要があるため，双方向通信を行うための手段等が必要となり，構成が複雑になる。
【０００８】
本発明は上記に鑑みてなされたものであって，ホストコンピュータからのプリンタ用文書データに基づいて，自動的に送信先および送信条件を設定することにより，利用者の利便性を向上させることを目的とする。
【０００９】
【課題を解決するための手段】
上記の目的を達成するために，請求項１に係る複合機能通信装置は，ホストコンピュータからプリンタ用文書データを入力し，前記プリンタ用文書データをイメージ画像データに展開し，さらにファクシミリ送信データに変換した後，ファクシミリ送信を行う複合機能通信装置において，送信の相手先を識別するための文字列または／およびイメージデータからなる識別データを含む前記プリンタ用文書データを表示する表示部と，前記表示部に表示された前記プリンタ用文書データのうち，前記識別データが存在する領域の位置指定をオペレータから受け付ける領域指定受付手段と，前記領域指定受付手段が指定を受け付けた領域から文字列を検索し，検索により得られた文字列を前記識別データとし，当該識別データと，前記領域指定受付手段が位置指定を受け付けた前記領域の座標値との組合せを一つの情報単位として少なくとも一つの前記情報単位からなる識別情報，および識別情報に対応する送信先を示す送信先情報を登録するための第１の登録手段と，前記第１の登録手段で登録された識別情報および送信先情報を記憶する第１の記憶手段と，前記第１の記憶手段に記憶されている送信先情報毎の送信条件を登録するための第２の登録手段と，前記第２の登録手段で登録された送信先情報毎の送信条件を記憶する第２の記憶手段と，前記第１の記憶手段に記憶されている識別情報中の全ての情報単位が前記プリンタ用文書データ中に存在するか否かを判定する判定手段と，前記判定手段によって全ての情報単位が存在すると判定された識別情報がある場合，該当する識別情報に対応した送信先情報に基づいて，前記第２の記憶手段から送信条件を入力し，該当する送信先情報および送信条件に基づいて，送信先の設定および送信条件の設定を行う設定手段とを備えたものである。
【００１０】
また，請求項２に係る複合機能通信装置は，ホストコンピュータからプリンタ用文書データを入力し，前記プリンタ用文書データをイメージ画像データに展開し，さらにファクシミリ送信データに変換した後，ファクシミリ送信を行う複合機能通信装置において，送信の相手先を識別するための文字列または／およびイメージデータからなる識別データを含む前記プリンタ用文書データを表示する表示部と，前記表示部に表示された前記プリンタ用文書データのうち，前記識別データが存在する領域の位置指定をオペレータから受け付ける領域指定受付手段と，前記領域指定受付手段が指定を受け付けた領域から文字列を検索し，検索により得られた文字列を前記識別データとし，当該識別データと，前記領域指定受付手段が位置指定を受け付けた前記領域の座標値との組合せを一つの情報単位として少なくとも一つの前記情報単位からなる識別情報，および識別情報に対応する送信先を示す送信先情報を登録するための第１の登録手段と，前記第１の登録手段で登録された識別情報および送信先情報を記憶する第１の記憶手段と，前記第１の記憶手段に記憶されている送信先情報毎の送信条件を登録するための第２の登録手段と，前記第２の登録手段で登録された送信先情報毎の送信条件を記憶する第２の記憶手段と，前記第１の記憶手段に記憶されている識別情報中の全ての情報単位が前記プリンタ用文書データを展開したイメージ画像データ中に存在するか否かを判定する判定手段と，前記判定手段によって全ての情報単位が存在すると判定された識別情報がある場合，該当する識別情報に対応した送信先情報に基づいて，前記第２の記憶手段から送信条件を入力し，該当する送信先情報および送信条件に基づいて，送信先の設定および送信条件の設定を行う設定手段とを備えたものである。
【００１１】
また，請求項３に係る複合機能通信装置は，前記第１の登録手段が，少なくとも前記プリンタ用文書データを表示する前記表示部および前記表示部上に配置されたタッチパネルとを備えたものである。
【００１２】
【作用】
本発明の複合機能通信装置（請求項１）は，送信の相手先を識別するための文字列または／およびイメージデータからなる識別データを含むプリンタ用文書データを表示し、表示されたプリンタ用文書データのうち，識別データが存在する領域の位置指定をオペレータから受け付け，指定を受け付けた領域から文字列を検索し，検索により得られた文字列を前記識別データとし，当該識別データと，領域の座標値との組合せを一つの情報単位として少なくとも一つの情報単位からなる識別情報，識別情報に対応する送信先を示す送信先情報，および送信先情報毎の送信条件を登録し，識別情報中の全ての情報単位がプリンタ用文書データ中に存在するか否かを判定して，全ての情報単位が存在すると判定された識別情報がある場合，該当する送信先情報および送信条件に基づいて，送信先の設定および送信条件の設定を行う。
【００１３】
また，本発明の複合機能通信装置（請求項２）は，送信の相手先を識別するための文字列または／およびイメージデータからなる識別データを含むプリンタ用文書データを表示し、表示されたプリンタ用文書データのうち，識別データが存在する領域の位置指定をオペレータから受け付け，領域から文字列を検索し，検索により得られた文字列を識別データとし，当該識別データと，領域の座標値との組合せを一つの情報単位として少なくとも一つの前記情報単位からなる識別情報，識別情報に対応する送信先を示す送信先情報，および送信先情報毎の送信条件を登録し，識別情報中の全ての情報単位がプリンタ用文書データを展開したイメージ画像データ中に存在するか否かを判定して，全ての情報単位が存在すると判定された識別情報がある場合，該当する送信先情報および送信条件に基づいて，送信先の設定および送信条件の設定を行う。
【００１４】
また，本発明の複合機能通信装置（請求項３）は，少なくともプリンタ用文書データを表示する表示部および前記表示部上に配置されたタッチパネルにより，識別情報，識別情報に対応する送信先を示す送信先情報，および送信先情報毎の送信条件を登録する。
【００１５】
【実施例】
以下，本発明の複合機能通信装置について，〔実施例１〕，〔実施例２〕の順で図面を参照して詳細に説明する。
【００１６】
一般に，注文書をファクシミリで送信する場合，注文書の型式は定型であるのが普通であるり，この場合，注文先は特定の位置に文字コード列，またはイメージデータとして出現する。したがって，プリンタ機能で画像を生成する前後の時点で，上記注文書の注文先データを分析することにより，相手先を特定することができ，さらに送信条件を選択することができる。
【００１７】
本発明は，プリンタ機能を介したファクシミリ送信において，上記特性を利用して，送信を望む文書のみの指定による自動配信を実現することによって，相手先，送信条件指定，およびファクシミリ情報管理などに伴う煩雑さを回避し，ファクシミリ機能が蓄積した最良の条件での運用を可能にするものである。なお，従来では，内容の異なる定型文書を複数の相手先へ送信する場合，専用に設計されたアプリケーションでのみ実現が可能となっていた。
【００１８】
〔実施例１〕
図１は，本発明の複合機能通信装置の構成を示すブロック図であり，プリンタ機能を実行するＳＣＵ１００と，ファクシミリ機能を実行するＦＣＵ２００と，テキストデータおよびプリントコマンドをＳＣＵ１００へ出力するホストコンピュータ３００と，オペレータが操作指示を行うための第１の登録手段および第２の登録手段としての操作パネル４００とから構成されている。なお，ＳＣＵ１００は，ホストコンピュータ３００から入力したテキストデータを画像データに展開する機能を備えている。
【００１９】
ＳＣＵ１００は，ＳＣＵ１００とホストコンピュータ３００とを接続するためのホストＩ／Ｆ（インタフェース）１０１と，ＳＣＵ１００と操作パネル４００とを接続するための操作パネルＩ／Ｆ１０２と，プリンタ・ファクシミリ動作指定データを記憶する第２の記憶手段としての送信条件登録メモリ１０３と，プリンタ画像データを記憶するためのフレームメモリ１０４と，相手先指定領域データと相手先データを記憶する第１の記憶手段としての相手先領域登録メモリ１０５と，プリンタ機能制御データを記憶するための制御データメモリ１０６と，プリンタ機能プログラムを記憶するための制御コードメモリ１０７と，制御コードメモリ１０７に記憶されているプリンタ機能プログラムにしたがって，必要に応じて制御データメモリ１０６に記憶されているプリンタ機能制御データを使用して，上記各部を制御してプリンタ機能を実行する判定手段としてのＣＰＵ１０８とから構成されている。なお，ＣＰＵ１０８とフレームメモリ１０４とにより，テキストデータから画像データへの展開が行われる。なお，４０１は，装置の状態表示，およびオペレータによる各種指定の際の確認表示を行う表示部である。
【００２０】
また，ＦＣＵ２００は，回線の接続，監視など，通信に関する各種の制御を行うＣＣＵ（通信管理ユニット）２０１と，送受信相手先の電話番号や能力を記憶する相手先情報登録メモリおよび自機の接続する通信網５００の情報を記憶する通信網情報登録メモリとして使用する通信情報登録メモリ２０２と，画像データの圧縮／伸長を行う画像圧縮伸長ユニット２０３と，送信画像を蓄積するためのＳＡＦメモリ２０４と，ファクシミリ機能制御データを記憶するための制御データメモリ２０５と，ファクシミリ機能プログラムを記憶するための制御コードメモリ２０６と，制御コードメモリ２０６に記憶されているファクシミリ機能プログラムにしたがって，必要に応じて制御データメモリ２０５に記憶されているファクシミリ機能制御データを使用して，上記各部を制御してファクシミリ機能を実行する設定手段としてのＣＰＵ２０７とから構成され，自機の接続する通信網５００を介して受信側ファクシミリ端末６００と接続されている。
【００２１】
ここで，相手先領域登録メモリ１０５について説明する。相手先領域登録メモリ１０５には，オペレータが操作パネル４００を使用して予め登録した登録内容が記憶されている。相手先領域登録メモリ１０５に登録されている登録内容は，複数の要素からなり，一つの要素は以下の情報を含んでいる。（下記において，Ｃは文字列，Ｉはイメージ）
・相手先領域組み合わせ指定（例えば，１Ｃ  ＡＮＤ  ２Ｃ  ＯＲ  ３Ｉ．．．ｎ）
・相手先領域描画座標１，描画文字列１，描画イメージ１
・相手先領域描画座標２，描画文字列２，描画イメージ２
・相手先領域描画座標３，描画文字列３，描画イメージ３
・
・
・相手先領域描画座標ｎ，描画文字列ｎ，描画イメージｎ
・相手先コード（ファクシミリ機能での内部コード）
・送信条件
【００２２】
また，送信条件登録メモリ１０３には，
・相手先コード（ファクシミリ機能での内部コード）
・送信モード指定
・圧縮方法指定
・プリンタ解像度
・ファクシミリ送信解像度
などの情報が，予めオペレータにより操作パネル４００を使用して登録され，記憶されている。
【００２３】
なお，実施例１では，操作パネル４００を使用して各種情報を登録する構成であるが，特にこれに限定するものではなく，ホストコンピューター３００から各種情報を登録するなど，どのような方法で登録しても良い。
【００２４】
以上の構成において，その動作を説明する。ＳＣＵ１００においてＣＰＵ１０８は，ホストＩ／Ｆ１０１を介してホストコンピュータ３００から定型文書を印刷するためのプリントコマンドを受け取る。
【００２５】
ＣＰＵ１０８は，先ず，ホストコンピュータ３００から受け取ったプリンタコマンドを解析する。このとき描画座標を得て，相手先領域登録メモリ１０５を参照して，相手先領域描画座標における文字列の有無を検索し，図２に示すように，該当文字列が存在する場合には，送信条件登録メモリ１０３に記憶して設定を行う。
【００２６】
ＣＰＵ１０８は送信条件登録メモリ１０３に記憶された送信条件データのプリンタ解像度にしたがって，フレームメモリ１０４に画像を生成し，送信条件登録メモリ１０３に記憶された送信条件データおよびフレームメモリ１０４の生成画像をＦＣＵ２００に渡す。
【００２７】
ＦＣＵ２００においてＣＰＵ２０７は，送信条件登録メモリ１０３に記憶されている圧縮方法にしたがって，画像圧縮伸長ユニット２０３を使用して，フレームメモリ１０４の生成画像を圧縮し，送信条件登録メモリ１０３内の送信条件データと共にＳＡＦメモリ２０４に格納する。
【００２８】
続いて，ＣＰＵ２０７は，ＳＡＦメモリ２０４から送信条件データと圧縮された画像データを取り出し，ＣＣＵ２０１を介して通信網５００にアクセスし，送信条件データのファクシミリ送信解像度を知らせ，受信側ファクシミリ端末６００との接続を行う。
【００２９】
ＣＰＵ２０７は，通信網５００を介して，送信条件データのファクシミリ送信解像度に応じて，圧縮された画像データの解像度変換を行い，解像度変換された画像データを受信側ファクシミリ端末６００に送信する。
【００３０】
実施例１の複合機能通信装置において，ファクシミリ送信は上記のように行われ，ＣＰＵ１０８は，ホストコンピュータ３００から送られたテキストデータを参照し，特定の位置の文字コード列，またはイメージデータを参照することにより，送信先を特定する。この場合，ＣＰＵ１０８による送信先の特定は，プリンタ用の画像を生成する前または生成した後に行われ，生成前に特定するか生成後に特定するかは，操作パネル４００によりオペレータが自由に設定することができる。さらに，ＣＰＵ１０８は，特定の位置の文字コード列，またはイメージデータを参照する際に，複数の文字コード列，またはイメージデータを参照し，その組み合わせにより注文先を特定する機能も備えている。
【００３１】
なお，プリンタ用の画像を生成する前に送信先を特定する場合には，コードデータから送信先を検索することになるため，検索が容易となる。また，プリンタ用の画像を生成した後に送信先を特定する場合には，画像データから送信先を検索することになるため，ホストコンピューター３００が扱うコードデータの種類に依存することなく検索することができる。
【００３２】
前述したように実施例１によれば，ホストコンピュータからのプリンタ用文書データに含まれ，任意の位置に描画される文字列またはイメージデータに基づいて，画像を生成する以前に送信相手先を指定できるため，相手先，送信条件を装置側が判断でき，相手先指定の誤りの防止および最適条件での文書送信が可能となる。さらに，相手先選択操作および送信条件選択操作が不要となり，配信作業が容易となる。
【００３３】
また，画像を生成した後に送信相手先を指定できるため，描画方法による影響がなく，文書指定による自動配信が，多種のアプリケーションプログラムについて可能となり，利用者のホストコンピュータ環境に対する制限が軽減される。
【００３４】
また，任意の位置に描画される文字列と任意の位置に描画されるイメージデータとの組み合わせによって送信相手先を指定できるため，多種類の定型文書に対して，文書指定による自動配信が可能となり，さらに，送信相手先の要求書式に対しても，文書指定による自動配信が可能となる。
【００３５】
〔実施例２〕
実施例２は，実施例１の機能に加えて，送信相手先を指定するために参照する描画文字列の位置または描画イメージデータの位置を，操作パネル４００により，簡単に指定する機能を備えたものであり，基本的には，実施例１と同様の構成に付き，異なる部分のみ詳細に説明する。なお，図３は，操作パネル４００の構成の一部であり，通信相手先印字領域を指定するための領域指定部４０２を示す説明図である。また，図４は，表示部４０１に設けられたタッチパネルの表示例を示す説明図である。
【００３６】
図３に示した領域指定部４０２は，通信相手先領域登録モードへの移行を指示するための通信相手先領域登録モード指定開始キー３０１と，通信相手先領域登録モードの終了を指示するための通信相手先領域登録モード指定終了キー３０２と，座標位置を調整するための通信相手先領域座標上下左右移動キー３０３と，座標の始点位置を決定するための通信相手先領域座標始点設定キー３０４と，座標の終点位置を決定するための通信相手先領域座標終点設定キー３０５と，座標位置の設定終了を指示するための通信相手先領域座標設定終了キー３０６と，領域座標の組み合わせを指定するための通信相手先領域座標組み合わせ指定キー３０７と，通信相手先登録モードへの移行を指示するための通信相手先登録モード指定開始キー３０８と，通信相手先登録モードの終了を指示するための通信相手先登録モード指定終了キー３０９と，通信相手先を選択するための通信相手先選択キー３１０と，送信時における各種条件を選択するための送信条件選択キー３１１とから構成されている。
【００３７】
以上の構成により，その動作を説明する。実施例２においては，オペレータが表示部４０１に表示されるイメージを確認しながら，図３に示した領域指定部４０２の各種キーを操作して，送信相手先を指定するために参照する描画文字列の位置または描画イメージデータの位置を指定する。
【００３８】
次に，オペレータが領域指定部４０２を使用して行う指定動作について説明する。
【００３９】
（１）オペレータが，通信相手先領域登録モード指定開始キー３０１を押下して通信相手先領域登録モードへの移行を指示すると，ＣＰＵ１０８は，ホストＩ／Ｆ１０１を介してホストコンピュータ３００からプリンタコマンドを受け取る。通信相手先領域登録モードにおいて，ＣＰＵ１０８は，描画した結果を印刷せずに表示部４０１にイメージで表示し，オペレータのキー操作を待つ。
（２）オペレータは通信相手先領域座標上下左右移動キー３０３を使用して座標の始点位置を調整する。
【００４０】
（３）所望の始点位置への調整が済むと，オペレータは通信相手先領域座標始点設定キー３０４を押下して座標の始点位置を決定する。
（４）オペレータは通信相手先領域座標上下左右移動キー３０３を使用して座標の終点位置を調整する。
【００４１】
（５）所望の終点位置への調整が済むと，オペレータは通信相手先領域座標終点設定キー３０５を押下して座標の終点位置を決定する。この時，必要に応じて，通信相手先領域座標組み合わせ指定キー３０７を使用して，所望の組み合わせを選択し，次の領域を決定するために，（２）から（６）の動作を繰り返し，全ての領域指定が終了したら，通信相手先領域座標設定終了キー３０６を押下して領域指定を終了する。この場合，ＣＰＵ１０８は，上記操作の結果取得した通信相手先領域データを相手先領域登録メモリ１０５に記憶する。
【００４２】
（６）次に，オペレータは通信相手先領域登録モード指定終了キー３０２を押下して通信相手先領域登録モードの終了を指示する。
（７）続いて，オペレータは通信相手先登録モード指定開始キー３０８を押下して通信相手先登録モードへの移行を指示する。
【００４３】
（８）通信相手先登録モードへの移行が指示されると，ＣＰＵ１０８はホストＩ／Ｆ１０１を介してホストコンピュータ３００からプリンタコマンドを受け取る。
（９）通信相手先登録モードにおいて，ＣＰＵ１０８は描画した結果を印刷せずに，相手先領域登録メモリ１０５に記憶されている通信相手先領域登録データによる領域表示と重ね合わせて表示部４０１にイメージで表示する。
【００４４】
（１０）次に，この時点で，対応するファクシミリ相手先，送信条件指定を行う。すなわち，ＣＰＵ１０８はＦＣＵ２００から通信相手先情報を取り出し，オペレータは通信相手先選択キー３１０により通信相手先の選択を行う。
（１１）続いて，オペレータは送信条件選択キー３１１により送信条件を選択し，ＣＰＵ１０８は選択された通信相手先と送信条件を，相手先領域登録メモリ１０５の対応づけられた領域に記憶する。以上で１件の通信相手先に対する登録を終了する。
【００４５】
（１２）複数件の通信相手先に対する処理の場合には，（１１）まで終了した後に，（８）からの処理を全件終了するまで繰り返す。
（１３）全ての登録が終了したら，オペレータは通信相手先登録モード指定終了キー３０９を押下し，通信相手先登録モードの終了を指示する。
（１４）通信相手先領域を変更する場合には，（１）からの処理を繰り返す。
【００４６】
次に，実施例２の他の例を図４を参照して説明する。図４に示すように，タッチパネルを使用して通信相手先領域および通信相手先を登録すれば，オペレータの登録作業が容易となる。なお，基本的な動作は図３に示した領域指定部４０２を使用した場合と同様であるため，異なる部分のみ詳細に説明する。
【００４７】
オペレータは，通信相手先領域座標上下左右移動キー３０３による指定の変わりに，図４に示すように，タッチパネルに表示されている送信先（例えば“株式会社リコー”）を指先で指定する。すなわち，図４に実線で示すように始点を指定し，同図に点線で示すように終点を指定し，終点指定後に通信相手先領域座標設定終了キー３０６を指定する。このように，表示を確認し，直接表示内容を指先で触れて指定することにより，送信相手先領域および通信相手先を容易かつ確実に登録することができる。なお，タッチパネルを表示部４０１に設ける構成として説明したが，特にこれに限定するものではなく，ホストコンピューター３００にタッチパネルを設け，ホストコンピューター３００を使用して登録するようにしても良い。
【００４８】
前述したように，実施例２によれば，送信相手先を指定するために参照する描画文字列の位置または描画イメージデータの位置を操作パネル上で指定し，指定した位置に基づいて，通信相手先と対応付けるため，すなわち，通信相手先を指定する領域の決定を，画像をベースとして行うことができるため，通信相手先領域選択を確実かつ容易に行うことができ，通信相手先選択の誤りを防止できると同時に，ホストコンピュータ側での通信相手先管理を省略できる。
【００４９】
【発明の効果】
以上説明したように，本発明の複合機能通信装置（請求項１）は，送信先を識別するための文字列または／およびイメージデータからなる識別データと識別データが存在する座標値との組合せを一つの情報単位として少なくとも一つの情報単位からなる識別情報，識別情報に対応する送信先を示す送信先情報，および送信先情報毎の送信条件を登録し，識別情報中の全ての情報単位がプリンタ用文書データ中に存在するか否かを判定して，全ての情報単位が存在すると判定された識別情報がある場合，該当する送信先情報および送信条件に基づいて，送信先の設定および送信条件の設定を行うため，ホストコンピュータからのプリンタ用文書データに基づいて，自動的に送信先および送信条件を設定することにより，利用者の利便性を向上させることができる。
【００５０】
また，本発明の複合機能通信装置（請求項２）は，送信先を識別するための文字列または／およびイメージデータからなる識別データと識別データが存在する座標値との組合せを一つの情報単位として少なくとも一つの前記情報単位からなる識別情報，識別情報に対応する送信先を示す送信先情報，および送信先情報毎の送信条件を登録し，識別情報中の全ての情報単位がプリンタ用文書データを展開したイメージ画像データ中に存在するか否かを判定して，全ての情報単位が存在すると判定された識別情報がある場合，該当する送信先情報および送信条件に基づいて，送信先の設定および送信条件の設定を行うため，ホストコンピュータからのプリンタ用文書データに基づいて，自動的に送信先および送信条件を設定することにより，利用者の利便性を向上させることができる。
【００５１】
また，本発明の複合機能通信装置（請求項３）は，少なくともプリンタ用文書データを表示する表示部および前記表示部上に配置されたタッチパネルにより，識別情報，識別情報に対応する送信先を示す送信先情報，および送信先情報毎の送信条件を登録するため，容易かつ確実に送信先および送信条件を設定することができる。
【図面の簡単な説明】
【図１】本発明の複合機能通信装置の構成を示すブロック図である。
【図２】プリンタ用文書データの例を示す説明図である。
【図３】領域指定部を示す説明図である。
【図４】領域指定部を示す説明図である。
【符号の説明】
１００    ＳＣＵ                  １０３    送信条件登録メモリ
１０５    相手先領域登録メモリ    １０８    ＣＰＵ
２００    ＦＣＵ                  ２０１    ＣＣＵ
２０２    通信情報登録メモリ      ２０７    ＣＰＵ
３００    ホストコンピュータ      ４００    操作パネル
４０１    表示部                  ４０２    領域指定部
５００    通信網                  ６００    受信側ファクシミリ端末
【図１】
0003607349.tif 000002
【図２】
0003607349.tif 000003
【図３】
0003607349.tif 000004
【図４】
0003607349.tif 000005